(57)【要約】【課題】通信速度が現在主に採用されている情報通信速度に比較して格段に遅い事と、一つの情報端末にしか接続できない。【解決手段】ＣＰＵとメモリとを備え、メモリに保存されたプログラム及び融着パラメータを用いて光ファイバ相互の融着接続を行う光ファイバ融着接続装置において、ＵＳＢ又はイーサネット（登録商標）の外部機器通信インターフェースを備え、このインターフェースを介して接続された情報端末機器からの情報が前記メモリに取り込み可能に構成されていることを特徴とする。これにより高速にしてしかも複数の融着接続装置が同時に情報端末装置とアクセスすることが可能になった。【選択図】        図１
2004246073.tif 000002
【特許請求の範囲】
【請求項１】
ＣＰＵとメモリとを備え、メモリに保存されたプログラム及び融着パラメータを用いて光ファイバ相互の融着接続を行う光ファイバ融着接続装置において、ＵＳＢ又はイーサネット（登録商標）の外部機器通信インターフェースを備え、このインターフェースを介して接続された情報端末機器からの情報が前記メモリに取り込み可能に構成されていることを特徴とする光ファイバ融着接続装置。
【請求項２】
ＵＳＢ及びイーサネット（登録商標）の両方の外部機器通信インターフェースを備えていることを特徴とする請求項１に記載の光ファイバ融着接続装置。
【請求項３】
外部機器通信インターフェースはＬＡＮに接続されていることを特徴とする請求項１に記載の光ファイバ融着接続装置。
【請求項４】
複数の融着接続装置がハブを介して情報端末機器と接続されていることをとくちょうとする請求項１に記載の光ファイバ融着接続装置。
【請求項５】
ＵＳＢ又はイーサネット（登録商標）の外部機器通信インターフェースを備えた複数の光ファイバ融着接続装置と、光ファイバ融着接続装置の制御プログラム又はパラメータの融着接続情報を備えた情報端末機器とが、通信線路を介して接続され、情報端末機器が発するコマンドにより、前記インターフェース及び通信線路を介して、各光ファイバ融着接続装置内のプログラム又はパラメータのデータが情報端末機器内に持つ融着接続情報に一斉に書替えられることを特徴とする光ファイバ融着接続装置のデータ書替方法。
【発明の詳細な説明】
【０００１】
【発明の属する技術分野】
本発明は、光ファイバ相互を融着接続する光ファイバ融着接続装置及びその融着接続装置のデータ書替方法に関するものである。
【０００２】
【従来の技術】
光通信で使用される光ファイバは、一般に石英系の光ファイバが採用されている。このような光ファイバは、その端部で他の光ファイバと接続され、光ファイバの延長、分岐、混合などが行われる。この接続には、相互に接続される両光ファイバの端部に放電アークを与えて光ファイバの端部を相互に融着して接続する光ファイバ融着接続装置が使用される。
【０００３】
この光ファイバ融着接続装置は、光ファイバの種類、温度・湿度などの環境状態などに応じて、光ファイバ相互を適切に融着接続する各種のパラメータ及びこのパラメータを用いて融着接続制御を行うプログラム等を備えている。
【０００４】
この各種パラメータやプログラムなどの融着接続情報は、新たに光ファイバが開発された場合に新たなものが追加され、また新たに改良されたプログラムなどが開発される。このような場合、過去に製造された光ファイバ融着接続装置又はこれから製造される光ファイバ融着接続装置にこれらの新たな融着接続情報を取り込まなければならない。
さらに、顧客が過去に購入された光ファイバ融着接続装置について保守を希望する場合は、メーカー側は個々の前記融着接続装置を診断・保守し、光ファイバ融着接続装置が良好に動作するかを確認しなければならない。
【０００５】
従来このような融着接続情報を光ファイバ融着接続機に取り込む場合や前記診断・保守等を行う場合に、光ファイバ融着接続装置にアナログ電話回線網等の公衆回線を介して、遠隔地で融着情報の取り込みや診断を行う方法が提案されている。（例えば、特許文献１）
【０００６】
図４には、この種の光ファイバ融着接続装置Ｕとパソコンなどの情報端末装置Ｔとが電話回線Ｄ又はＲＳ‐２３２Ｃ線路Ｒを介して接続され、両者間で情報交換する例が示されている。
【０００７】
【特許文献１】
特許第３０６５２７１号公報。
【０００８】
【発明が解決しようとする課題】
しかしながら、かかる従来の融着接続機の通信インターフェースは、ＲＳ−２３２Ｃや電話線用モデムなどを介して行うものであり、通信速度が現在主に採用されている情報通信速度に比較して格段に遅い事と、一つの情報端末にしか接続できないことである。
【０００９】
このため、工場などで複数の光ファイバ融着接続装置が使われている場合、各光ファイバ融着接続装置の融着接続情報をサーバーが吸い上げる場合や、サーバーからの通信により各光ファイバ融着接続装置の融着接続情報を書き替えたり診断しようとする場合、一つの情報端末装置に一つの光ファイバ融着接続装置を接続して行うことしか出来なかった。
【００１０】
更に、光ファイバ融着接続装置の融着接続情報をサーバーが吸い上げる場合は、光ファイバ融着接続装置にパソコンなどの情報端末装置を接続し、一旦、その情報端末装置に光ファイバ融着接続装置の融着接続情報を保存してからサーバーに送らなければならなかった。
【００１１】
また、サーバーからの通信により各光ファイバ融着接続装置の融着接続情報を書き替えたり診断したりしようとする場合は、光ファイバ融着接続装置に接続されている情報端末装置に制御コマンドなどを送った後、情報端末装置が、その制御コマンドを光ファイバ融着接続装置に送る必要があった。
このため、配線及びデータ授受が複雑で煩雑であり、コストも上がるものであった。
【００１２】
【課題を解決するための手段】
本発明はかかる点に鑑み、通信手段にＵＳＢ（Ｕｎｉｖｅｒｓａｌ  Ｓｅｒｉａｌ  Ｂｕｓ）やイーサネット（登録商標）を採用し、複数の光ファイバ融着接続装置が容易にサーバーと接続可能にし、且つ高速で情報交換を行えるようにしたものである。
【００１３】
そのための本発明の一つは、ＣＰＵ（Ｃｅｎｔｒａｌ  Ｐｒｏｃｅｓｓｉｎｇ  Ｕｎｉｔ）とメモリとを備え、メモリに保存されたプログラム及び融着パラメータを用いて光ファイバ相互の融着接続を行う光ファイバ融着接続装置において、ＵＳＢ又はイーサネット（登録商標）の外部機器通信インターフェースを備え、このインターフェースを介して接続された情報端末機器からの情報が前記メモリに取り込み可能に構成されていることを特徴とする。
【００１４】
他の本発明は、ＵＳＢ又はイーサネット（登録商標）の外部機器通信インターフェースを備えた複数の光ファイバ融着接続装置と、光ファイバ融着接続装置の制御プログラム又はパラメータの融着接続情報を備えた情報端末機器とが、通信線路を介して接続され、情報端末機器が発するコマンドにより、前記インターフェース及び通信線路を介して、各光ファイバ融着接続装置内のプログラム又はパラメータのデータが情報端末機器内に持つ融着接続情報に一斉に書替えられることを特徴とする。
【００１５】
【発明の実施の形態】
外部機器通信インターフェースはＵＳＢ又はイーサネット（登録商標）又はその両方を備えている。
光ファイバ融着接続装置は、前記インターフェース及びＬＡＮ又はＵＳＢ線路等の通信線路を介して情報端末機器やサーバに接続されている。この際、通信線路にＬＡＮ回線またはＵＳＢハブを介して複数の光ファイバ接続装置が接続されていても良く、またＬＡＮ回線及びＬＡＮ用ハブを介して複数の光ファイバ融着接続装置が接続されていても良い。
【００１６】
【実施例】
以下本発明を図示した実施例により説明する。
図１において、０は光ファイバ融着接続装置を示し、１は光ファイバ融着接続装置０の主制御を行うＣＰＵ、２は光ファイバ融着接続装置０内の機器の駆動を行う入出力回路、３は光ファイバ融着接続の制御プログラム及び融着接続情報を格納するメモリ、４は外部の情報端末機器又はサーバとの情報交換を行う外部機器通信インターフェースである。入出力回路２には、光ファイバ相互端部を照明するためのＣＣＤ光源２１、光ファイバ相互端部を撮像してその接続状況を映像化するＣＣＤカメラ２２、情報を表示するモニタ装置２３、光ファイバ端部等を移動させるモータ駆動装置２４、操作パネルからの情報を入出力するオペレーションパネル２５、放電アークを発生させる放電回路２６等に接続されている。外部機器通信インターフェース４は本発明の最も特徴とするものであり、ＵＳＢ又はイーサネット（登録商標）又はその両方の端子を備えている。
【００１７】
図２は、情報端末装置Ｔと、複数の光ファイバ融着接続装置０とがイーサネット（登録商標）によるＬＡＮ回線を介して接続された構成を示す配置図であり、これにより、一つの情報端末装置Ｔと複数の光ファイバ融着接続装置０とは時分割で高速にして通信をすることができ、複数の光ファイバ融着接続装置０が同時に情報端末装置Ｔから高速にしてサービスを受けることができる。
【００１８】
図３は、ＬＡＮに接続された複数の情報端末装置Ｔの一つにハブＨを介して複数の光ファイバ融着接続装置０が接続された形態を示すものであり、これにより、情報端末装置Ｔの一つと複数の光ファイバ融着接続装置０とは時分割で高速にして通信をすることができ、複数の光ファイバ融着接続装置０が同時に一つの情報端末装置Ｔから高速でサービスを受けることができる。
【００１９】
【効果】
本発明の光ファイバ融着接続装置は、上記のとおり、ＵＳＢ又はイーサネット（登録商標）の外部機器通信インターフェースを備え、このインターフェースを介して接続された情報端末機器からの情報が前記メモリに取り込み可能に構成されている。このため、情報端末機器からの情報を高速にしてメモリに取りこむことが可能である。また、負数の光ファイバ融着接続装置が同時に情報端末機器からサービスを受けることができる優れた効果を有する。
【図面の簡単な説明】
【図１】本発明の一実施例を図示した構成図。
【図２】本発明の光ファイバ融着接続装置と情報端末装置との接続状態の一例を示す配置図。
【図３】本発明の光ファイバ融着接続装置と情報端末装置との接続状態の他の例を示す配置図
【図４】従来の光ファイバ融着接続装置と情報端末装置との接続状態を示す配置図。
【符号の説明】
０：光ファイバ融着接続装置
１：ＣＰＵ
２：入出力回路
３：メモリ
４：外部機器通信インターフェース
【図１】
2004246073.tif 000003
【図２】
2004246073.tif 000004
【図３】
2004246073.tif 000005
【図４】
2004246073.tif 000006